(57)【要約】【課題】抽せん番号と販売店との関係を効率的に抽せん券を管理することのできる抽せん券の管理方法およびそのシステムを提供する。【解決手段】抽せん券の管理システムは、発売元システム１０と販売店システム２０とネットワーク１とによって構成される。抽せん番号管理テーブル３１ａ，３１ｂは、抽せん番号と記号情報（組記号，記号，袋番号）とを双方向に変換するためのデータを保持する。販売店別管理テーブル３２ａ，３２ｂは、記号情報の一部と抽せん券の販売店との関係を表わすデータを保持する。番号変換処理部３０ａ，３０ｂは、これらのテーブルのデータに基づいてどの抽せん番号の抽せん券がどの販売店に送付されるものかを表わす袋詰め番号データ３３ａ，３３ｂを生成するため、このデータにより袋詰め、送付、照合確認が容易に行える。【選択図】図１
2006155643.tif 000002
【特許請求の範囲】
【請求項１】
それぞれ固有の抽せん番号が印刷されている抽せん券をコンピュータシステムにより管理する抽せん券の管理方法であって、
記憶装置に記憶されている抽せん番号管理テーブルであって袋詰めされる各抽せん券に対応する複数の記号と各記号に対応する抽せん番号初期値との関係を保持する抽せん番号管理テーブルのデータに基づき、番号変換処理部が、前記記号毎に、該記号に対応した前記抽せん番号初期値から袋番号毎に順次所定の増分値ずつ増分した抽せん番号を袋番号に対応させて割り当てることで、各袋詰め番号に対して複数の抽せん番号が割り当てられた袋詰め番号データを生成する
ことを特徴とする抽せん券の管理方法。
【請求項２】
前記袋番号と当該袋番号に対応する前記抽せん券の販売店との関係を保持する販売店別管理テーブルを記憶装置に記憶しておき、前記番号変換処理部が前記販売店別管理テーブルを用いることにより、前記抽せん番号と前記販売店との関連を管理することを特徴とする請求項１に記載の抽せん券の管理方法。
【請求項３】
前記抽せん券の抽せん番号はＭ種類（Ｍ≧１）の組記号を含むものであり、
前記販売店別管理テーブルは、
前記組番号をＪ種類ずつＬ個（Ｌ≧１，Ｊ×Ｌ＝Ｍ）のグループに分類し、このＬ個のグループそれぞれに属する前記組番号の順列をＪ通りに異ならしめることによって生成される（Ｌ×Ｊ）種類の各順列に対応する組記号と前記袋番号との組み合わせに対応して前記抽せん券の販売店の情報を保持することを特徴とする請求項２に記載の抽せん券の管理方法。
【請求項４】
それぞれ固有の抽せん番号が印刷されている抽せん券を管理する管理システムであって、
袋詰めされる各抽せん券に対応する複数の記号と各記号に対応する抽せん番号初期値との関係を保持する抽せん番号管理テーブルと、
袋番号と当該袋番号に対応する前記抽せん券を販売する販売店との関係を表わす販売店別管理テーブルと、
前記抽せん番号管理テーブルのデータに基づき、前記記号毎に、該記号に対応した前記抽せん番号初期値から袋番号毎に順次所定の増分値ずつ増分した抽せん番号を袋番号に対応させて割り当てることで、各袋詰め番号に複数の抽せん番号が割り当てられた袋詰め番号データを生成するとともに、前記販売店別管理テーブルを用いることにより、前記抽せん番号と前記販売店との関連を管理する番号変換処理部と、
を備えたことを特徴とする抽せん券の管理システム。
【請求項５】
前記抽せん券の発売を管理する機関において利用される発売元システムと、
前記発売を管理する機関から前記抽せん券の供給を受けて販売する販売店において利用される販売店システムと、
前記発売元システムと前記販売店システムとを接続するネットワークと、
を備え、
前記発売元システムと前記販売店システムとには、同一の変換規則に基づく処理を行う前記番号変換処理部が設けられており、
抽せん券の発行の都度、前記発売元システムから前記販売店システムに、前記ネットワークを介して前記抽せん番号管理テーブルのデータを伝送する
ことを特徴とする請求項４に記載の抽せん券の管理システム。
【請求項６】
前記番号変換処理部が生成した前記袋詰め番号データに基づき、抽せん券の袋詰めを行う袋詰め装置を備えたことを特徴とする請求項４または５に記載の抽せん券の管理システム。
【発明の詳細な説明】
【技術分野】
【０００１】
この発明は、抽せん番号が印刷された抽せん券の管理方法およびそのシステムに関する。特に、複数枚の抽せん券を袋等に入れてまとめて販売するための抽せん券の管理方法およびそのシステムに関する。
【背景技術】
【０００２】
一枚ずつ固有の抽せん番号が印刷された抽せん券を販売する際には、所定の枚数（例えば、１０枚）の抽せん券を予め袋詰めしておき、その袋単位で販売する方法が広くとられている。また、抽せん券の購入者のニーズに対応して、袋内の抽せん券の抽せん番号がすべて連続している連番売りと、袋内の抽せん番号が偏っておらず各桁の数字がばらばらになっているバラ番売りとが行われており、この両方の販売方法に応じた袋詰めが行われている。また、通常は、発売を管理する機関の責任において一括して抽せん券の印刷を行い、発売を管理する機関から各地の販売店に対して抽せん券の送付が行われるという流通経路となっている。また、販売組織が階層化されており、発売を管理する機関から送付を受けた第１次販売店がさらに第２次、第３次の販売店に委託して販売を行う場合もある。
【発明の開示】
【発明が解決しようとする課題】
【０００３】
上記のような抽せん券の販売を行うにあたっては、販売店で保管中の抽せん券が盗難に遭ったり、火災等で焼失したりした場合のために、販売店に割り当てられたすべての抽せん番号が把握できていることが望ましい。また、当せんとなった抽せん券がどの販売店で販売されたものであるかを示すことによって、購入者に対するサービスが行えるとともに、次回以降の販売における売上増を見込むことができる。
【０００４】
従来においても、どの販売店から当せん券が販売されたかは公表されていたが、これを行うためには、手間をかけて販売店毎の抽せん番号を記録するとともに、そのデータを管理する必要があった。特にバラ番売りにおいては、特定の販売店に特定の範囲の抽せん番号が偏らないように、まんべんなく分散された抽せん番号の抽せん券を割り当てるようにしているため、データ量は膨大なものとなっていた。
【０００５】
また、上記のように第２次、第３次の販売店に販売を委託する場合には、発売を管理する機関は、第１次販売店に送付した抽せん券の抽せん番号は記録して管理することができるものの、第２次以降の末端の販売店まで管理することは非常に困難かつ手間のかかるものであった。 
【０００６】
本発明は、上記のような事情を考慮してなされたものであり、主として抽せん番号と販売店との関係を効率的に抽せん券を管理することのできる抽せん券の管理方法およびそのシステムを提供することを目的とする。
【課題を解決するための手段】
【０００７】
上記の課題を解決するために、本発明は、それぞれ固有の抽せん番号が印刷されている抽せん券の管理方法であって、抽せん番号管理テーブルに保持されているデータに基づき第１の規則を用いて前記抽せん番号を有限個数の記号のいずれかに一意に変換するとともに、前記抽せん番号管理テーブルに保持されているデータに基づき第２の規則を用いて前記抽せん番号を有限個数の袋番号のいずれかに一意に変換する変換手段を利用し、前記袋番号によって前記抽せん券を管理することを特徴とする抽せん券の管理方法を要旨とする。 
【０００８】
また本発明は、上述の抽せん券の管理方法において、前記記号とこの記号に対応する前記抽せん番号の代表番号とを抽せん番号管理テーブルに保持し、前記第１の規則は、前記抽せん番号が、前記抽せん番号管理テーブルに保持された前記代表番号によって表わされる抽せん番号の集合に属するかどうかによって前記記号を決定するものであり、前記第２の規則は、前記抽せん番号と当該抽せん番号に対応する前記代表番号とを基に所定の計算を行うことによって前記袋番号を決定するものであることを特徴とする。 
【０００９】
また本発明は、上述の抽せん券の管理方法において、前記袋番号と当該袋番号に対応する前記抽せん券の販売店との関係を保持する販売店別管理テーブルを用いることにより、前記抽せん番号と前記販売店との関連を管理することを特徴とするものである。 
【００１０】
また、本発明は、Ｍ種類（Ｍ≧１）の上位番号とＮ種類（Ｎ≧２）の下位番号とによって構成される抽せん番号の体系を有し、それぞれ固有の抽せん番号が印刷されている抽せん券の管理方法であって、前記下位番号をＪ種類（Ｊ≧１）の記号とＫ種類（Ｋ≧２，Ｊ×Ｋ＝Ｎ）の袋番号との組み合わせに１対１に対応させ、前記上位番号をＪ種類ずつＬ個（Ｌ≧１，Ｊ×Ｌ＝Ｍ）のグループに分類し、このＬ個のグループそれぞれに属する前記上位番号の順列をＪ通りに異ならしめることによって（Ｌ×Ｊ）種類の各順列に対応する組記号を生成し、この組記号と前記記号とを複合することによって、前記抽せん番号を、前記組記号と前記記号と前記袋番号との組み合わせに１対１に対応させることを特徴とする抽せん券の管理方法を要旨とする。 
【００１１】
また本発明は、上述の抽せん券の管理方法において、前記組記号と前記袋番号との組み合わせに対応して前記抽せん券の販売店の情報を保持する販売店別管理テーブルを用いることにより、前記抽せん番号と前記販売店との関連を管理することを特徴とするものである。 
【００１２】
また本発明は、上述の抽せん券の管理方法において、ある枝番号が複数の前記袋番号を表わすように前記袋番号と枝番号との対応付けを行い、前記組記号と前記枝番号との組み合わせに対応して前記抽せん券の販売店の情報を保持する販売店別管理テーブルを用いることにより、前記抽せん番号と前記販売店との関連を管理することを特徴とする。 
【００１３】
また本発明は、それぞれ固有の抽せん番号が印刷されている抽せん券を管理する管理システムであって、１対１に対応付けられた前記抽せん番号と多次元の記号情報との関係を表わす抽せん番号管理テーブルと、前記記号情報のうちの一部の次元の情報と前記抽せん券を販売する販売店との関係を表わす販売店別管理テーブルと、前記抽せん番号管理テーブルと前記販売店別管理テーブルとを参照することにより、前記抽せん番号を基に対応する前記販売店を求めるとともに、前記販売店を基に対応する複数の前記抽せん番号を求める機能を有する番号変換処理部とを備えたことを特徴とする抽せん券の管理システムを要旨とする。 
【００１４】
また本発明は、上述の抽せん券の管理システムにおいて、前記抽せん券の発売を管理する機関において利用される発売元システムと、前記発売を管理する機関から前記抽せん券の供給を受けて販売する販売店において利用される販売店システムと、前記発売元システムと前記販売店システムとを接続するネットワークとを備え、前記発売元システムと前記販売店システムとには、同一の変換規則に基づく処理を行う前期番号変換処理部が設けられており、抽せん券の発行の都度、前記発売元システムから前記販売店システムに、前記ネットワークを介して前記抽せん番号管理テーブルのデータを伝送することを特徴とするものである。 
【００１５】
また本発明は、上述の抽せん券の管理システムにおいて、前記抽せん番号管理テーブルと前記販売店別管理テーブルとを基に作成され前記販売店と前記抽せん番号との関係を表わす袋詰め番号データに基づき、抽せん券の袋詰めを行う袋詰め装置を備えたことを特徴とするものである。 
【００１６】
また本発明は、上述の抽せん券の管理システムにおいて、前記抽せん番号管理テーブルと前記販売店別管理テーブルとを基に作成され前記販売店と前記抽せん番号との関係を表わす袋詰め番号データに基づき、抽せん券を販売店別に仕分けする販売店別仕分け装置を備えたことを特徴とするものである。
【発明の効果】
【００１７】
以上説明したように、この発明によれば、抽せん番号管理テーブルに保持されているデータに基づき、膨大な種類の抽せん番号をより少ない種類の記号および袋番号に変換し、この袋番号を用いて抽せん券を管理するため、管理のためのデータのサイズを小さくすることができる。
【００１８】
また、この発明によれば、袋番号と販売店との関係を販売店別管理テーブルに保持して管理するため、小さなサイズのデータで、どの番号の抽せん券をどの販売店に送付したかを管理することができる。
【００１９】
また、この発明によれば、抽せん番号の変換機能を有する販売店システムを備え、販売店システム側にも抽せん番号管理テーブルおよび販売店別管理テーブルのデータを送るようにするため、販売店において、自店に送付されてきた抽せん券が本来自店に送られるべき番号のものであるかどうかを照合確認することが可能となり、当せんした抽せん券が自店で販売されたものであるかどうかを容易に検索することができるようになり、また、販売店において抽せん券が盗難にあったり焼失してしまったりした場合にもその抽せん番号を容易に特定することができるようになる。
【００２０】
また、この発明によれば、販売組織が階層的な構造をもつ場合には、販売店別管理テーブルに第２次以降の販売店の情報を保持することができるため、発売を管理する機関から第１次販売店への送付だけでなく、その後の第２次販売店、第３次販売店等への送付も管理することが可能になる。
【発明を実施するための最良の形態】
【００２１】
以下、図面を参照しこの発明の一実施形態について説明する。図１は、同実施形態による抽せん券管理システムの構成を示す構成図である。図１において、符号１０は抽せん券の発売を管理する機関において利用される発売元システムであり、この発売元システム１０は、番号変換処理部３０ａと、抽せん番号管理テーブル３１ａと、販売店別管理テーブル３２ａとを備えている。抽せん番号管理テーブル３１ａは、後述するように、抽せん番号と袋番号やその枝番や組記号などとの関係を保持するものである。また同様に、販売店別管理テーブル３２ａは袋番号やその枝番や組記号などと販売店との関係を保持するものである。また、番号変換処理部３０ａが、抽せん番号管理テーブル３１ａや販売店別管理テーブル３２ａを参照しながら袋詰め番号データ３３ａを生成するようになっている。
【００２２】
２０は販売店において利用される販売店システムであり、この販売店システム２０は番号変換処理部３０ｂを備えている。そして、この番号変換処理部３０ｂは、ネットワーク１を介して発売元システム１０から送付された抽せん番号管理テーブル３１ｂや販売店別管理テーブル３２ｂを参照することによって、袋詰め番号データ３３ｂを生成するようになっている。なお、ネットワーク１としては例えばインターネットや公衆電話網などを用いる。
【００２３】
また、５０は、発売元側において袋詰めデータ３３ａに基づいて袋詰めされた抽せん券である。この袋詰めされた抽せん券５０は販売店へ送付されるが、販売店側では、袋詰め番号データ３３ｂを用いて送付されてきた抽せん券を照合確認することができる。
【００２４】
次に、抽せん番号管理テーブル（３１ａ，３１ｂ）と販売店別管理テーブル（３２ａ，３２ｂ）の詳細について説明する。なお、以下に示す例において、抽せん券の抽せん番号の体系は次のようなものである。すなわち、各抽せん券には、「１０００００」〜「１９９９９９」の１０万種類のうちのいずれかの抽せん番号が印刷されている。また、この１０万枚の抽せん券を１組として、複数組の抽せん券が販売される場合もある。このとき、各組の組番号がさらに抽せん番号として付加される。例えば、「０１組」〜「１００組」の１００種類の組番号（上位番号）を設け、この各組について「１０００００」〜「１９９９９９」の１０万種類の抽せん番号（下位番号）が存在する。つまり合計１０００万種類の抽せん番号が存在する。また、さらにこの１０００万枚の抽せん券を１ユニットとして複数のユニットの抽せん券を販売するようにしても良い。
【００２５】
図２は、抽せん番号管理テーブルの一部分のデータの内容を示す参考図である。図示するように、抽せん番号管理テーブルは、記号と抽せん番号初期値との関係が保持されている。ここでは抽せん券を１０枚ずつ袋詰めすることを前提としており、記号０〜９がその１０枚の抽せん券に対応している。また、抽せん番号管理テーブルには、増分値「１」およびラップラウンド値「１００００」が保持されている。
【００２６】
上記のような抽せん番号管理テーブルの設定に基づき、袋詰め番号データが生成される。１０万枚の抽せん券を１０枚ずつ袋詰めするため袋の数は１万であり、各袋には袋番号「０」〜「９９９９」が対応するようにする。図２に示す通り、袋番号「０」には、上記抽せん番号初期値（代表番号）そのままの１０個の抽せん番号、つまり「１０１２３４」，「１１２３４５」，「１２３４５６」，「１３４５６７」，「１４５６７８」，「１５６７８９」，「１６７８９０」，「１７８９０１」，「１８９０１２」，「１９０１２３」が割り当てられる。また、袋番号「１」以降には、抽せん番号初期値から順次、上記増分値（つまり「１」）ずつ増分した１０個の抽せん番号が割り当てられていく。但し、ラップラウンド値が「１００００」と設定されているため、増分する際には一万の位への桁上げは行わないようにする。具体的には、例えば、図２に示す記号「５」の行において、袋番号「３２１０」の抽せん番号は「１５９９９９」であるが、次の袋番号「３２１１」の抽せん番号は「１６００００」ではなく「１５００００」となっている。このようにして、抽せん番号管理テーブルのデータに基づき、袋番号「０」〜「９９９９」への抽せん番号の割り当てが行われる。
【００２７】
つまり、図２に示すように、抽せん番号管理テーブルに保持されているデータに基づき第１の規則を用いて抽せん番号を有限個数の記号のいずれかに一意に変換するとともに、前記抽せん番号管理テーブルに保持されているデータに基づき、第２の規則を用いて抽せん番号を有限個数の袋番号のいずれかに一意に変換することができ、この袋番号によって抽せん券を管理すれば、全部の抽せん券について各個別に管理する必要がなくなる。具体的には、抽せん番号管理テーブルは、前記記号とこの記号に対応する前記抽せん番号の代表番号とを保持しており、前記第１の規則は、前記抽せん番号が、前記抽せん番号管理テーブルに保持された前記代表番号によって表わされる抽せん番号の集合に属するかどうかによって前記記号を決定するものであり、前記第２の規則は、前記抽せん番号と当該抽せん番号に対応する前記代表番号とを基に所定の計算を行うことによって前記袋番号を決定することができる。
【００２８】
なお、図２に示したデータ例は、バラ番売りのためのものである。このデータ例では、抽せん番号初期値の上から２桁目つまり一万の位の数字に重複がない。このようなデータは、１０万種類の抽せん番号を重複なく各記号および各袋番号に割り当てるための設定の一例である。また、このデータ例では、抽せん番号初期値の最下位桁つまり一の位の数字に重複がない。各袋番号に割り当てられる抽せん番号は初期値からそれぞれ１ずつ増分していくものであるため、抽せん番号初期値において一の位の数字に重複がなければ、すべての袋番号においても一の位の数字に重複がないこととなる。このようなデータ設定とすることにより、各袋には最下位桁が「０」〜「９」である抽せん番号が必ず１つずつ含まれることになる。これは、最下位桁のみの一致をもって当せんとするような抽せん方法を取る場合には、各袋に必ず１枚は当せんの抽せん券が含まれるようになることを意味する。 
【００２９】
図３は、同じく抽せん番号管理テーブルの一部分のデータの内容を示す参考図である。図２に示したデータがバラ番売り用のものであったのに対して、この図３に示すデータは、連番売りに適したものである。図３に示すデータでは、増分値が「１０」、ラップラウンド値が「１０００００」に設定されている。また、抽せん番号初期値には「１０００００」〜「１００００９」の連続した番号が設定されている。このような設定により、袋番号「０」〜「９９９９」のすべてに、それぞれ連続した１０個の抽せん番号が割り当てられるようになる。
【００３０】
図４は、抽せん番号に組番号が含まれている場合における抽せん番号管理テーブルの一部分のデータの内容を示す参考図であり、この図４に示すデータは、グループと組み番号との関係を保持している。１グループには１０個の組が含まれるようにしているので、合計１００個の組が「０」〜「９」の１０個のグループにグループ分けされている。なお、このグループ分けのしかたは任意であるが、図４に示す例においては、同一グループ内では最下位桁（一の位）の数字の重複がなくかつ下から２つ目の桁（十の位）の数字の重複もないようにしている。
【００３１】
図５は、上記グループ内において組の順列を定めるための回転を示す参考図であり、図４におけるグループ「３」を例としたデータを示している。図５（ａ）は回転数が０の場合の組の順列を示すものであり、図４に示した組番号の配置の通りの順で０，１，２，・・・，９の順列番号としている。図５（ｂ）は回転数が１の場合の組の順列を示すものであり、組番号の配置を１つずつずらした順列番号を与えている。回転数２（図５（ｃ））以降も同様であり、回転数９（図５（ｊ））までの１０通りがある。図５に示すような回転を行ったとき、ある組には「０」〜「９」の順列番号が重複なく１回ずつ与えられている。つまり、例えば「０３組」は、回転数０では順列番号「０」であり、回転数１では順列番号「９」であり、・・・、回転数９では順列番号「１」である。
【００３２】
図６は、図２に示した抽せん番号初期値と図４に示した組のグループと図５に示した組の回転とを組み合わせたことによる袋詰め番号データを示す参考図である。図６において、組記号は２桁の数字からなっており、その上位（十の位）は組のグループを表わし、下位（一の位）はグループ内の回転数を表わしている。そして、そのグループおよび回転数における順列番号が図２に示した記号と一致するように、組番号を割り当てる。例えば、組記号「００」において、グループが「０」、回転数が「０」、順列番号が「０」であるような組番号は「１００組」であるので、これが記号「０」の抽せん番号初期値「１０１２３４」に対応付けられる。また、組記号「０１」においては、グループが「０」、回転数が「１」、順列番号が「０」であるような組番号は「１１組」であるので、これが記号「０」の抽せん番号初期値「１０１２３４」に対応付けられる。そして、この抽せん番号初期から所定の増分に従って袋番号「０」〜「９９９９」の袋詰め抽せん番号が決定される。なお、図６に示す袋詰抽せん番号のマトリックス（Ａの部分）は、１０００行（組番号「００」〜「９９」，記号「０」〜「９」）１万列（袋番号「０」〜「９９９９」）であり、合計１０００万種類の抽せん番号が漏れなく、かつ重複なく割り振られている。
【００３３】
以上説明したような手順を用いることにより、抽せん番号管理テーブルに設定された記号毎の抽せん番号初期値のデータ（図２）と組番号のグループ分けのデータ（図４）だけを基に、１０００万枚の抽せん券の袋詰めのデータ（図６）を生成することができる。
【００３４】
このような袋詰め番号データに基づいて袋詰めを行うことにより、各袋内の抽せん券の抽せん番号は偏らないため、ばらばらの番号の抽せん券を購入したいという購入者のニーズを満たすことができる。しかしながら、例えば同一組記号で同一記号における連続した袋番号の袋（例えば「０」〜「４９９９」）をそのまま販売店に送付した場合、隣り合う袋には連続した抽せん番号の抽せん券が詰められていることとなり、販売店において複数の袋を同一の購入者に販売した場合には、実質的に連続番号の抽せん券を混じってしまう可能性がある。そこで、さらに、このような袋間にまたがる連続性を緩和するために、袋番号の枝番号を導入するようにしても良い。
【００３５】
図７は、袋番号と枝番号との関係を示す参考図である。図示するように、袋番号「０」〜「９９９９」が大番号と枝番号との組み合わせに対応するようにする。図７の例では、「０」〜「４」の５種類の枝番号を割り振っているが、同一枝番号が連続しないようにするために、袋番号を５で割ったときの剰余が枝番号と同一に成るようにしている。なお、枝番号を「０」〜「４」に限定する必要はなく、他の範囲の枝番号を割り振るようにしても良い。
【００３６】
なお、バラ番売りのためには上述したように各袋内の抽せん番号および同一枝番に属する袋の抽せん番号ができるだけばらばらになるようにしたが、連番売りの場合は同一袋内には同一組番号の連続番号が詰められている必要があり、また、複数の袋にまたがる連続番号を購入したいというニーズにも対応するため、図４〜図７を用いて説明したようなデータの操作を行わないようにする。また、複数ユニットの抽せん券を販売する場合には、ユニット毎に売り方を変えて、例えば、あるユニットをバラ番売り用とし他のユニットを連番売り用とする。
【００３７】
図８は、販売店別管理テーブルの構造およびデータ例を示す参考図である。図８（ａ）には、発売元システム側の販売店別管理テーブルの例（３２ａ）を示しており、ここでは、組記号「００」〜「９９」と枝番号「０」〜「４」のすべての組み合わせについて、それに相当する袋の送付先の販売店のコード番号を記録することができるようになっている。例えば、組記号「００」，枝番号「０」の２０００個の袋は、販売店「００００１」に送付されるものであることが表わされている。また、図８（ｂ）には、販売店システム側の販売店別管理テーブル（３２ｂ）の例を示しており、ここでは、販売店「００００１」に送付された分の組番号と枝番号の組み合わせについて、その袋の送付先の第２次販売店のコード番号を記録することができるようになっている。つまり、販売店別管理テーブルは袋番号（あるいはそれと同一次元の値である枝番号）とこの袋番号（あるいは枝番号）に対応する抽せん券の販売店との関係を保持している。
【００３８】
なお、テーブルの各行に販売店コードを割り振る際には、乱数を使用したり、同一組記号で連続する枝番に同一の販売店コードを割り振ることを禁止するようなアルゴリズムを用いたりするなど、販売店に送付される抽せん券の抽せん番号をさらにばらばらにするような工夫をしても良い。 
【００３９】
また、各販売店にとっては自販売店に送付されてくる抽せん券の抽せん番号を管理できれば充分であり、他販売店用の抽せん番号を知る必要はないので、発売元システムから販売店システムには当該販売店に関するデータのみを送るようにする。
【００４０】
なお、図６〜図８を用いて説明したように、本実施形態の管理方法の特徴は、抽せん番号を多次元の記号情報に対応付け、この記号情報のうちの一部の次元の情報と販売店とを対応付けることによって、テーブルに保持すべきデータが少なくて済むようにしていることである。ここで、「多次元の記号情報」とは組記号、記号、袋番号の各次元の情報であり、この対応付けのしかたを具体的に表わすデータが抽せん番号管理テーブルに保持されている。また、「一部の次元の情報と販売店とを対応付ける」とは、上記の各次元のうち組記号と袋番号の次元の情報に販売店を対応付けることであり、この対応付けのしかたを具体的に表わすデータが販売店別管理テーブルに保持されている。
【００４１】
図９は、上述した抽せん番号管理テーブルおよび販売店別管理テーブルを参照しながらデータの変換を行う番号変換処理部の機能概要を示す参考図である。
【００４２】
図９（ａ）に示すように、番号変換処理部は、抽せん番号を組記号と袋番号との組み合わせに変換する。これは、まず抽せん番号のうち組番号を除く６桁の数字の部分（「１０００００」〜「１９９９９９」）を基に記号と袋番号とを求め、その記号と組番号とが合致するような組記号を求めることにより行える。また逆に、番号変換処理部は組記号と袋番号との組み合わせから袋を特定し１０種類の抽せん番号に変換することができ、さらに記号によりその１０種類の中の１つの抽せん番号を特定することができる。
【００４３】
また、図９（ｂ）に示すように、番号変換処理部は、組記号と枝番号との組み合わせを販売店のコードに変換する。また、逆に販売店のコードを組記号と枝番号との組み合わせの集合に変換する。なお、ここでは、販売店のコードとは、販売店別管理テーブルに保持されているコードである。前述のように、発売元システムにおける販売店別管理テーブルには第１次販売店のコードが保持されており、販売店システムにおける販売店別管理テーブルには第２次販売店のコードが保持されている。
【００４４】
図１０は、上述したデータ処理を含み、抽せん券を管理する手順を示すフローチャートである。まず、図１０のステップＳ１において、抽せん番号管理テーブルにデータを設定する。なお、このとき、乱数または擬似乱数を発生する装置、回路、あるいはプログラムを用いることによって、乱数的要素を含んだデータ設定を行うようにしても良い。次に、ステップＳ２において、抽せん番号管理テーブルのデータを基に袋詰め番号データを生成し、このデータに従って抽せん券の袋詰めを行う。
【００４５】
次に、ステップＳ３において、販売店への組記号および枝番号の割り当てを行い、販売店別管理テーブルにデータを設定する。この販売店別管理テーブルへのデータの設定においても、ステップＳ１と同様に、乱数的要素を含んだデータ設定を行うようにしても良い。そして、ステップＳ４においては、この販売店別管理テーブルのデータにしたがい、袋詰めされた抽せん券を発売を管理する機関から販売店に送付する。また、ステップＳ５においては、抽せん番号管理テーブルおよび販売店別管理テーブルのデータを発売元システム側から販売店システム側へ送付する。
【００４６】
そして、送付されてくる抽せん券およびデータを受け取った販売店側では、ステップＳ６においてこれらのデータと抽せん券との照合確認を行い、さらにステップＳ７においては、第２次販売店に抽せん券を送付するとともに、販売店別管理データに第２次販売店のデータを設定する。
【００４７】
以上説明したような方法をとることにより、１０００万種類の抽せん番号それぞれがどの販売店で販売されるものであるかを膨大なデータとして記録することなく、抽せん番号管理テーブルのデータと販売店別管理テーブルのデータを管理するだけで、抽せん番号と販売店とを双方向に対応付けることが可能となる。
【００４８】
次に、袋詰め番号データを用いて、抽せん券の物流を効率化する方法について説明する。図１１は、抽せん券の印刷から、袋詰めを経て、販売店への送付を行うまでのプロセスを示すプロセス構成図である。図１１において、まず複数枚の抽せん券が連刷されたシートが印刷機７１によって印刷される。そして、そのシートは裁断機７２によって１枚ずつの抽せん券に裁断される。裁断済みの抽せん券はスタック装置７３によって１０枚ずつの束に分類される。次に袋詰め装置７４がその束の単位での袋詰めを行い、販売店別仕分け装置７５が１０枚ずつの抽せん券が入った袋を、送付先の販売店別に仕分けて包装する。
【００４９】
このとき、発売元システム１０は、抽せん番号管理テーブル３１ａと販売店別管理テーブル３２ａから生成される袋詰め番号データ３３ａに基づき、スタック装置７３、袋詰め装置７４、販売店別仕分け装置７５への指示を行う。また、販売店別仕分け装置７５が仕分けを行った段階で、販売店への送付票や販売店コードや販売店名を記したラベルを印刷して送付物の表面から見えるようにしても良い。これにより、袋詰め時の作業間違いや、送付先の誤りなどをなくし、物流の効率を向上させることが可能になる。
【００５０】
また、袋詰め番号データ３３ａを印刷機７１に渡すようにして、この渡されたデータに基き、袋詰めするときの順序に応じて抽せん番号の印刷順序を決定するようにしても良い。これにより、抽せん券の分類に要するスペースを削減でき、スタック装置７３を小型化したり不要としたりすることができる。 
【００５１】
上述した発売元システムおよび販売店システムは、コンピュータシステムを用いて実現されている。また、抽せん番号管理テーブルや販売店別管理テーブルや袋詰め番号データはコンピュータシステムの記憶装置に記憶されている。そして、番号変換処理部が行う各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、フロッピー（登録商標）ディスク、光磁気ディスク、ＣＤ−ＲＯＭ、ＤＶＤ−ＲＯＭ、磁気ハードディスク、半導体メモリ等をいう。
【００５２】
なお、上記実施形態では、発売元システムと販売店システムとがネットワークによって接続され、抽せん番号管理テーブルや販売店別管理テーブルのデータはこのネットワークを介して伝送されることとしたが、ネットワークを用いずに、発売元システムから販売店システムにデータを反映させるようにしても良い。そのためには、例えば、可搬性のある記録媒体（フロッピー（登録商標）ディスクや、ＣＤ−ＲＯＭなど）にデータを書き込んで、抽せん券とともに送付するようにする。また、販売店システムを構成する装置は必ずしも販売店の場所に存在する必要はなく、その一部または全部が販売店から離れた場所に存在していても良い。例えば、発売を管理する機関がＡＳＰ（アプリケーションサービスプロバイダ）となり、発売を管理する機関が運営するセンタに、全販売店のための番号変換処理部と抽せん番号管理テーブルと販売店別管理テーブルと袋詰め番号データとを設け、処理の結果のみをネットワークを介して販売店に送信して表示するようにしても良い。
【００５３】
また、上記実施形態では、抽せん番号の体系として、「０１組」〜「１００組」の組番号と「１０００００」〜「１９９９９９」の６桁の数字とによって構成される抽せん番号について説明したが、これ以外の体系の抽せん番号を持つ抽せん券に本発明を適用しても良い。
【図面の簡単な説明】
【００５４】
【図１】この発明の一実施形態による抽せん券の管理システムの構成を示す構成図である。
【図２】同実施形態による抽せん番号管理テーブルの一部分のデータの内容を示す参考図である。
【図３】同実施形態による抽せん番号管理テーブルの一部分のデータの内容を示す参考図である。
【図４】同実施形態による抽せん番号管理テーブルの一部分のデータの内容を示す参考図である。
【図５】同実施形態により、組番号のグループ内において組の順列を定めるための回転を示す参考図である。
【図６】同実施形態により、抽せん番号初期値のデータと組番号の順列とを組み合わせて生成される袋詰め番号データを示す参考図である。
【図７】同実施形態による袋番号と大番号と枝番号との関係を示す参考図である。
【図８】同実施形態による販売店別管理テーブルの構造およびデータ例を示す参考図である。
【図９】同実施形態により、抽せん番号管理テーブルおよび販売店別管理テーブルを参照しながらデータの変換を行う番号変換処理部の機能を示す参考図である。
【図１０】同実施形態による抽せん券を管理手順を示すフローチャートである。
【図１１】同実施形態により、抽せん券の印刷から、袋詰めを経て、販売店への送付を行うまでのプロセスを示すプロセス構成図である。
【符号の説明】
【００５５】
１…ネットワーク
１０…発売元システム
２０…販売店システム
３０ａ，３０ｂ…番号変換処理部
３１ａ，３１ｂ…抽せん番号管理テーブル
３２ａ，３２ｂ…販売店別管理テーブル
３３ａ，３３ｂ…袋詰め番号データ
５０…袋詰めされた抽せん券
７１…印刷機
７２…裁断機
７３…スタック装置
７４…袋詰め装置
７５…販売店別仕分け装置
【図１】
2006155643.tif 000003
【図２】
2006155643.tif 000004
【図３】
2006155643.tif 000005
【図４】
2006155643.tif 000006
【図５】
2006155643.tif 000007
【図６】
2006155643.tif 000008
【図７】
2006155643.tif 000009
【図８】
2006155643.tif 000010
【図９】
2006155643.tif 000011
【図１０】
2006155643.tif 000012
【図１１】
2006155643.tif 000013